(57)【要約】【課題】  扉や収納部本体を介して受ける水平方向の外部衝撃に対して誤作動しない電磁スナッチ装置を提供する。【解決手段】  ケ−ス１にカム軸２で回転支持されたロックカム３と、傾斜した待機位置へとロックカム３を回転付勢するカムスプリング５と、ケ−ス１にカムストッパ軸６によって回転支持され、ストッパスプリング７によってロックカム３とは反対方向に回転付勢され、先端部８ａをロックカム３の基端部周面の係止突起３ａに係合させたカムストッパ８と、プランジャ９を鉛直方向に配置してケース１に固定され、通電遮断時に内蔵スプリングによって突出位置に伸長するプランジャ９の先端部９ａにカムストッパ８の基端部８ｂを枢軸１０によって連結したソレノイド１１と、扉１に装着され、ロックカム３の受動突起３ｂを押して、ロックカム３の錠止突起３ｃを錠止孔１２ａに係合させる受金体１２とからなる。【選択図】  図１
2005264429.tif 000002
【特許請求の範囲】
【請求項１】
ケ−ス１に中間部をカム軸２によって回転支持されたロックカム３と、ロックカム３の側面がケース１側の制止部４に当接して傾斜した待機位置へとロックカム３を回転付勢するカムスプリング５と、ケ−ス１にカムストッパ軸６によって回転支持され、ストッパスプリング７によってロックカム３とは反対方向に回転付勢され、先端部８ａをロックカム３の基端部周面の係止突起３ａに係合させたカムストッパ８と、プランジャ９を鉛直方向に配置してケース１に固定され、通電遮断時に内蔵スプリングによって突出位置に伸長するプランジャ９の先端部９ａにカムストッパ８の基端部８ｂを枢軸１０によって連結したソレノイド１１と、扉１に装着され、扉１４の閉鎖時に傾斜した待機位置にあるロックカム３の受動突起３ｂを押して、ロックカム３の錠止突起３ｃを錠止孔１２ａに係合させる受金体１２とからなり、
ソレノイド１１の通電によってプランジャ９を引き込み動作させるとき、ストッパの先端部８ａをロックカム３の係止突起３ａから離脱させ、ロックカム３を傾斜した待機位置に回転させるようにした電磁スナッチロック装置。
【請求項２】
先端部１５ａが筐体１３の前面側に突出するトリガ１５をケース１に水平方向に進退するように設け、トリガスプリング１６によってトリガ１５を突出方向に移動付勢してあり、扉１４の開放解錠状態においてもソレノイド１１への通電が持続され、扉１４の閉鎖時に先端部１５ａが扉１４の背面によって押されたとき、トリガ１５の基端部１５ｂによってオン操作されるスイッチ１７をソレノイド１１の励磁回路に挿入したことを特徴とする請求項１に記載の電磁スナッチロック装置。
【請求項３】
レバー軸１８によってケースに回転支持され、基端部１９ａによってプランジャ９の先端部９ａを押圧し、ストッパの先端部８ａをロックカム３の係止突起３ａから離脱させる非常開レバー１９を備えており、非常開レバー１９の基端部１９ａの外周輪郭を、カムストッパの先端部８ａがロックカム３の係止突起３ａから離脱した以降は、非常開レバー１９を付加回転しても、プランジャ９に負荷を与えないような形状に形成したことを特徴とする請求項１または請求項２に記載の電磁スナッチロック装置。
【発明の詳細な説明】
【技術分野】
【０００１】
本発明は住宅、会社等の各種施設のロッカ−扉等に使用される電磁スナッチロック装置に関するものである。
【背景技術】
【０００２】
ケ−スにカム軸によって回転支持され、カムスプリングによって右回りに回転付勢され、扉側の係止フックと係脱するロックカムと、ロックカムの回転を一定の角度で制止するためにケ−スに固定された制止軸と、ケ−スの底部に取り付けられた底板と、底板のカムストッパ−取付板部に固定されたストッパ−軸によって回転支持され、カムストッパ−スプリングによって左回りに回転付勢され、背面突出部をロックカムの係合溝に係合させたカムストッパ−と、カムストッパ−の解除操作を行うためのスライド板を切欠き溝に固定し、コイルスプリングによって伸長方向に付勢されたプランジャと、プランジャ−の伸縮操作を行うソレノイドとからなり、カムストッパ−の解除がプランジャの動作によってなされるようにした電磁スナッチロックは既に提案されている（特許文献１参照）。
【０００３】
この従来の電磁スナッチロック装置では、ソレノイドはプランジャが水平方向に進退するように配置されているため、閉鎖施錠状態にある扉の前面を叩いたり、扉を押し引きしてソレノイドに水平方向の外部衝撃を与えたとき、プランジャが誤作動してロックカムと係止フックとの係合が解除され、扉が解錠開放されてしまうことがある。
【０００４】
また、この従来装置では、扉の開放解錠状態においてはソレノイドへの通電が遮断されているため、側面が前記制止軸に当接することによって傾斜した待機位置にあるロックカムを、悪戯によって細長い部材などの収納部正面側から差し込んで、ロックカムを起立位置に回転させたとき、カムストッパの背面突出部がロックカムの係合溝に自動的に係合してしまう。
【０００５】
このような悪戯操作が判明したときには、扉を正規に閉鎖施錠するに当ってソレノイドに予め通電してカムストッパとロックカムの係合を解除して置かなければならないので、操作が煩雑となる。前記悪戯操作を知らないまま扉を閉鎖したときには、起立状態のロックカムと係止フックが激突することになり、これら部品の歪曲・損傷の原因となる。
【特許文献１】特許第２８６２８６５号公報
【発明の開示】
【発明が解決しようとする課題】
【０００６】
本発明の課題は、扉や収納部本体を介して受ける水平方向の外部衝撃に対して誤作動しない電磁スナッチ装置を提供することである。
【０００７】
本発明の別の課題は、扉を閉鎖位置にまで移動させなければ施錠可能状態にならないため、悪戯によってロックカムが制止された起立状態に保持されることがない電磁スナッチロック装置を提供することである。
【０００８】
本発明の更に別の課題は、電気系統の故障時に対応するため非常開レバーを装備したとき、非常開レバーの付加回転によってソレノイドのプランジャに過大負荷を与えることがない電磁スナッチロック装置を提供することである。
【課題を解決するための手段】
【０００９】
請求項１の発明の電磁スナッチロック装置は、ケ−ス１に中間部をカム軸２によって回転支持されたロックカム３と、ロックカム３の側面がケース１側の制止部４に当接して傾斜した待機位置へとロックカム３を回転付勢するカムスプリング５と、ケ−ス１にカムストッパ軸６によって回転支持され、ストッパスプリング７によってロックカム３とは反対方向に回転付勢され、先端部８ａをロックカム３の基端部周面の係止突起３ａに係合させたカムストッパ８と、プランジャ９を鉛直方向に配置してケース１に固定され、通電遮断時に内蔵スプリングによって突出位置に伸長するプランジャ９の先端部９ａにカムストッパ８の基端部８ｂを枢軸１０によって連結したソレノイド１１と、扉１に装着され、扉１４の閉鎖時に傾斜した待機位置にあるロックカム３の受動突起３ｂを押して、ロックカム３の錠止突起３ｃを錠止孔１２ａに係合させる受金体１２とからなり、
ソレノイド１１の通電によってプランジャ９を引き込み動作させるとき、ストッパの先端部８ａをロックカム３の係止突起３ａから離脱させ、ロックカム３を傾斜した待機位置に回転させるようにしたものである。
【００１０】
請求項２の発明の電磁スナッチロック装置は、請求項１の発明の前記構成に加えて、先端部１５ａが筐体１３の前面側に突出するトリガ１５をケース１に水平方向に進退するように設け、トリガスプリング１６によってトリガ１５を突出方向に移動付勢してあり、扉１４の開放解錠状態においてもソレノイド１１への通電が持続され、扉１４の閉鎖時に先端部１５ａが扉１４の背面によって押されたとき、トリガ１５の基端部１５ｂによってオフ操作されるスイッチ１７をソレノイド１１の励磁回路に挿入したことである。
を特徴とする請求項１に記載の電磁スナッチロック装置。
【００１１】
請求項３の発明の電磁スナッチロック装置は、請求項１または請求項２の発明の前記構成に加えて、レバー軸１８によってケースに回転支持され、基端部１９ａによってプランジャ９の先端部９ａを押圧し、ストッパの先端部８ａをロックカム３の係止突起３ａから離脱させる非常開レバー１９を備えており、非常開レバー１９の基端部１９ａの外周輪郭を、カムストッパの先端部８ａがロックカム３の係止突起３ａから離脱した以降は、非常開レバー１９を付加回転しても、プランジャ９に負荷を与えないような形状に形成したことである。
【発明の効果】
【００１２】
請求項１の発明では、プランジャ９を鉛直方向に配置してソレノイド１１をケース１に固定し、通電遮断時に内蔵スプリングによって突出位置に伸長するプランジャ９の先端部９ａにカムストッパ８の基端部８ｂを枢軸１０によって連結し、カムストッパ８の先端部８ａをロックカム３の係止突起３ａに係合させたので、閉鎖施錠状態にある扉の前面を叩いたり、扉を押し引きすることによって、ソレノイド１１に水平方向の外部衝撃を与えたとき、プランジャ９が誤作動してロックカム３の係止突起３ａとカムストッパ８の先端部８ａとの係合が解除され、ロックカム３の錠止突起３ｃと受金体１２の錠止孔１２ａとの係合が解除され、扉が解錠開放されてしまうことがない。そのため、施錠状態の安定保持性に優れている。
【００１３】
請求項２の発明では、先端部１５ａが収納部１３の前面側に突出するトリガ１５をケース１に水平方向に進退するように設けてあり、扉１４の開放解錠状態においてもソレノイド１１への通電が持続され、これによってカムストッパ８の先端部８ａがロックカム３の係止突起３ａから離れた位置に保持されており、扉１４の閉鎖時にトリガ１５の先端部１５ａが収納部１３に押されたとき、ソレノイド１１の励磁回路に挿入したスイッチ１７がトリガ１５の基端部１５ｂによってオフ操作されるようになっているため、仮に細長い部材を収納部１３の正面側から差し込んでロックカム３を起立状態に移動させても、カムストッパ８による制止がないので、ロックカム３は即座に元の傾斜した待機位置に戻ってしまうことになる。
このように、悪戯によってロックカム３が起立状態に制止保持されることがないので、ロックカム３と受金体１２の激突による部品の歪曲・損傷があり得ない。事前に、悪戯によるロックカム３の起立状態の有無を確認し、起立状態から傾斜状態への移行操作を行なう必要がないので、操作の煩雑性がない。
【００１４】
例えば、ロッカ装置において収納部１３が上下多段に形成され、各収納部１３と扉との間に本発明の電磁スナッチロック装置が搭載され、停電時や電気系統の故障時に対応するために手動によって扉を非常開放するための非常開レバー１９がケース１に装備されており、上下複数個の電磁スナッチロックの非常開レバー１９が単一バー２０の牽引操作によって回転操作されるような事例において、請求項３の発明では、非常開レバー１９の基端部１９ａの外周輪郭は、カムストッパ８の先端部８ａがロックカム３の係止突起３ａから離脱した以降は、非常開レバー１９を付加回転しても、プランジャ９の先端部を更に押圧して過大な負荷を与えないような形状に形成されているため、全ての電磁スナッチロック装置が手動解除されるまで、前記操作バー２０を安全に牽引操作することができる。
【実施例】
【００１５】
ケース１が装着される収納部１３は、ロッカ装置の上下左右の多段に配置した個別の収納部または機器格納用キャビネットなどである。ソレノイド１１は、ケース１の左側面板２１にビス２２によって固着されている。左側面板２１の下部に延長して形成した水平板部２１ａには、ピン状の制止部４の斜め左下方の位置に、スプリング受軸２３が取り付けられている。カムスプリング５は捻りコイルスプリングによって構成され、カムスプリング５のコイル部５ａはカム軸２に嵌合されている。カムスプリング５の一方の直線部５ｂの先端はスプリング受軸２３の周面に当接しており、カムスプリング５の他方の直線部５ｃの先端フック部は、ロックカム３の側面のバネ受突起３ｄに係合しており、ロックカム３を図１において反時計回り方向に回転付勢している。
【００１６】
受金体１２はＬ字形に形成され、鉛直板部１２ｂが扉１４の背面に固着され、水平板部１２ｃの先端部に錠止孔１２ａが上下方向に貫通して設けられている。カムストッパ８の先端部８ａと基端部８ｂの間には段差が付けられている。ストッパスプリング７は捻りコイルスプリングで構成され、そのコイル部７ａはカムストッパ軸６に嵌合されている。ストッパスプリング７の一方の直線部７ｂの先端フック部は、カムストッパ８の基端部７ｂ側の下部側面に当接し、他方の直線部７ｃの折り曲げ端は、ケース１の透孔（図示していない）に挿入されており、カムストッパ８は図１において時計回り方向に回転付勢されている。
【００１７】
板状のトリガ１５はケース１の水平ガイド溝２４と、ケース１の右側面板２５の横長ガイド溝２６に三方の辺部を摺動可能に嵌合されている。トリガスプリング１６は、捻りコイルスプリングによって構成され、そのコイル部１６ａはケース１に固定した支軸２７に嵌合されている。トリガスプリング１６の一方の直線部１６ｂは、右側面板２５の内面側張り出し板部２８のスプリング受軸２９に当接し、他方の直線部１６ｃはトリガ１５に係合している。トリガ１５は図において右方向に移動付勢されている。
【００１８】
トリガ１５がケース１の内側に押込まれたときにオフ操作されるスイッチ１７は、マイクロスイッチで構成され、アクチュエータレバー１７ａは斜め左下に突出している。
電磁スナッチロック装置が解錠状態にあることを示す赤色の発光ダイオード３０の点灯回路には、マイクロスイッチ型のスイッチ３１が挿入されており、このアクチュエータレバー３１ａはカムストッパ８の先端部８ａの上面によって押される。
【００１９】
板状の非常開レバー１９は、ケース１の左側面板２１の内面側への張り出し板部３２に添接され、レバー軸１８が張り出し板部３２を水平に貫通している。非常開レバー１９の基端部１９ａの外周輪郭は、レバー軸１８を曲率中心とし、最押込み位置におけるプランジャ９の上端面とレバー軸１８との間の距離を曲率半径とする曲面に形成されている。
レバースプリング３３は、捻りコイルスプリングによって構成され、そのコイル部３３ａはレバー軸１８に嵌合されている。レバースプリング３３の一方の直線部３３ｂの折り曲げ先端は、左側面板２１の受孔３４に挿入され、他方の直線部３３ｃは非常開レバー１９の先端部側に突設したスプリング受軸３５の上側側面に当接している。そのため、非常開レバー１９は図１において反時計回り方向に回転付勢されている。
【００２０】
収納部１３の本体前面には、解除スイッチ（図示していない）が装備されている。この解除スイッチは、たとえばシリンダー錠とマイクロスイッチの組み合わせによって構成され、ロッカ装置の使用者が自己に割当てられた鍵をシリンダー錠のロータの鍵孔に挿入し、ロータを鍵によって所定角度回したとき、マイクロスイッチがオン・オフされるものである。このマイクロスイッチは、前記スイッチ１７と並列にしてソレノイド１１の励磁回路に挿入される。
【００２１】
図１に示したように扉１４が閉鎖施錠状態にあるときには、トリガ１５はケース１内側に所定ストロークだけ押込まれ、スイッチ１７はオフになっている。また、解除スイッチはオフになっており、そのシリンダー錠から鍵が抜取られている。これによってソレノイド１１への通電は遮断されている。そのため、プランジャ９は内蔵スプリングの作用によって最大限に突出した位置にあり、カムストッパ８は先端部８ａがロックカム３の係止突起３ａに係合している。
これによってロックカム３は起立状態に拘束保持され、ロックカム３の錠止突起３ｃが受金板１２の錠止孔１２ａに係合することによって、扉１４は収納部１３の正面開口部を閉塞した位置に錠止される。
【００２２】
前記シリンダー錠に使用者が鍵を挿入し、解除スイッチをオンさせると、解除スイッチを経由したソレノイド１１の励磁回路が閉成されるため、プランジャ９がソレノイド本体側に吸引され、カムストッパ８がカムストッパ軸６を中心に反時計回り方向に回転し、カムストッパ８の先端部８ａがロックカム３の係止突起３ａから離脱する。
【００２３】
上記のようにカムストッパ８による制止を解除されたロックカム３は、図３において反時計回り方向に回転し、受動突起３ｂで受金板１２の先端面を押すことによって、受金体１２をケース１から押し出す。この押し出し過程においてロックカム３の錠止突起３ｃが受金板１２の錠止孔１２ａから脱出し、収納部１３に対する扉１４の錠止が解除される。
【００２４】
扉１４が一定角度以上開放回転すると、図４に示したように、トリガ１５の先端部１５ａはトリガスプリング１６の付勢によって収納部１３の前面側に突出し、前記スイッチ１７がオンされる。これによってスイッチ２７を経由するソレノイド１１の励磁回路が閉成されるため、使用者が扉１４の十分なる開放後に、前記鍵を逆に回して解除スイッチをオフにし、シリンダー錠から鍵を抜取っても、扉１４の開放中、プランジャ９は吸引された状態に保持される。そのため、カムストッパ８は、先端部８ａが傾斜状態にあるロックカム３の係止突起３ａから浮き上がった位置に保持される。
【００２５】
このロックカム３が傾斜した待機状態において細長い部材を収納部１３の正面側から差し込み、ロックカム３の受動突起３ｂを押すと、傾斜した待機位置にあるロックカム３は、押された瞬間はカム軸２を中心に時計回り方向に回転するが、カムストッパ８による制止がないので、カムスプリング５の付勢によって直ちに傾斜状態に戻ることになる。
したがって、本発明では起立状態に制止されているロックカム３に受金体１２が激突する虞はない。扉１４は安全に閉鎖操作することができ、この安全状態は緑色の発光ダイオード３６を点灯させることによって、使用者に表示される。
【００２６】
解除スイッチをオフにして鍵を引き抜いた状態で、扉１４を閉鎖すると、閉鎖終端においてトリガ１５がケース１内に所定ストローク押込まれるため、前記スイッチ１７がオフされ、ソレノイド１１の励磁回路への通電が遮断される。これによってソレノイド１１のプランジャ９が内蔵スプリングの作用によって突出作動する。
扉１４の閉鎖過程でロックカム３の受動突起３ｂが受金体１２に押されるため、ロックカム３はカム軸２を中心として時計回り方向に回転する。ロックカム３が起立したとき、ロックカム３の錠止突起３ｃが受金体１２の錠止孔１２ａに係合する。
【００２７】
このようにロックカム３が起立状態に移動したとき、図１においてカムストッパ９がカムストッパ軸６を中心に時計周り方向に回転し、カムストッパ８の先端部８ａがロックカム３の係止突起３ａに係合する。これによって扉１４を押す操作だけによる自動ロックが成立する。
【００２８】
実施例では、非常開レバー１９の先端部１９ｂは、ケース１の左側空間に突出しており、非常開操作用のバー２０には、先端部１９ｂが嵌挿される駆動孔３７を水平方向に設けてある。上下多段に配置した複数の電磁スナッチロック装置を同時またはほぼ同時に解錠したい場合には、前記バー２０は長く作成され、複数個の駆動孔３７が一定間隔に設けられる。ケース１の上部には、ソレノイドの励磁回路を含むコントローラ３８が設けられている。
【００２９】
本実施例では、カムストッパ８の設置位置がケース１の内奥部になっているので、針金などによる不正解錠を受け難い。また、ケース１の縦横寸法がコンパクトに構成されているので、内部スペースを過分に消費することなく、小型の収納部やキャビネットにも無理なく適用することができる。
【図面の簡単な説明】
【００３０】
【図１】本発明の一実施例に係る電磁スナッチロック装置の縦断正面図であり、扉は閉鎖施錠状態にあり、ソレノイドは通電遮断状態にあり、トリガは押込み状態にある。
【図２】図１の電磁スナッチロック装置の平面図である。
【図３】図１の電磁スナッチロック装置の縦断正面図であり、扉は閉鎖施錠状態にあり、ソレノイドは通電状態にあり、トリガは押込み状態にある。
【図４】図１の電磁スナッチロック装置の縦断正面図であり、扉は解錠開放状態にあり、ソレノイドは通電状態にあり、トリガは突出状態にある。
【符号の説明】
【００３１】
１  ケース
２  カム軸
３  ロックカム
３ａ  係止突起
３ｂ  受動突起
３ｃ  錠止突起
４  制止部
５  カムスプリング
６  カムストッパ軸
７  ストッパスプリング
８  カムストッパ
８ａ  先端部
８ｂ  基端部
９  プランジャ
１０  枢軸
１１  ソレノイド
１２  受金体
１２ａ  錠止孔
１３  筐体
１４  扉
１５  トリガ
１５ａ  先端部
１６  トリガスプリング
１７  スイッチ
１８  レバー軸
１９  非常開レバー
１９ａ  基端部
【図１】
2005264429.tif 000003
【図２】
2005264429.tif 000004
【図３】
2005264429.tif 000005
【図４】
2005264429.tif 000006